(57)【要約】      （修正有）【課題】空気抜き孔に異物が詰まった時のインペラの圧迫、摺動摩擦抵抗増加、回転不能、インペラ接触摩耗等々の問題点を解消する。【解決手段】機能維持の為に絶対必要な空気抜き孔、しかしこれに起因してポンプ機能劣化が起こるのであれば事故要因排除、又、空気抜き孔の削除以外では、従来のポンプ機構には一切手を触れずにそのままで、只単に垂直立脚水中ポンプを、ある一定傾斜角度で吐出口を上部位にして設置するだけで、インペラに空気を咬む事もなく、空気孔からの加圧流水も無くなる事から、インペラ横、或は裏側に異物積層による種々弊害要因も皆無となり、トラブルが完全に解消され、底部位散気管設置のエアレイション併用でも継続的機能を発揮した。【選択図】図１
2007040287.tif 000002
【特許請求の範囲】
【請求項１】
既存の水中ポンプ本体（１）の空気抜孔（２）を孔埋め材（３）でつぶして通気及び通水不能とする。
水中ポンプ本体（１）の吐出口（４）を傾斜角度の上部位にして、ポンプ付き脚（５）を、傾斜ポンプ台（６）上に据置き、水中ポンプ本体（１）と傾斜ポンプ台（６）とを固定装着材（７）によって装着するが、ポンプ装填液体槽やポンプ昇降設備等の構成と設置環境によって低騒音化を要する時は水中ポンプ本体（１）装着の傾斜ポンプ台（６）と水平台（８）との間に、又時には水中ポンプ本体（１）と傾斜ポンプ台（６）との間に、吸振材（９）を介して装填する事もある。傾斜ポンプ台（６）の傾斜角度が大きい場合、又は水中ポンプ本体（１）の背が高く傾斜により重心位置がずれる場合は、転倒防止枠（１０）が装着され、必要ある場合は吸振材（９）経由で装着される。
傾斜ポンプ台（６）の傾斜角度は、水中ポンプ製造社によって機構が異なるが通常周知の垂直設置を基準にしてほぼ最低１８度以上２０度未満の傾斜があればインペラ（１１）への空気咬み込みによる機能停止要因を排除し得るが、機種によっては９０度傾斜の水平設置迄の各傾斜でも、吐出口側を上にして傾斜設置又は水平設置が可能で、水平の場合は水平台（８）上に低騒音化を要する場合は吸振材を介して装着した、空気抜き孔不要の水中ポンプ及びポンプ騒音防止法。
【請求項２】
水中ポンプ本体（１）と傾斜ポンプ台（６）との固定装着材（７）が、フラットバ−曲げ材（１２）によって、ボ−ルトナット等で吸振材（９）を介して固定された、請求項１記載の、空気抜き孔不要の水中ポンプ及び水中ポンプ騒音防止法。
【請求項３】
水中ポンプ本体（１）と傾斜ポンプ台（６）との設置が、傾斜ポンプ台（６）に固着されたポンプ囲い枠（１３）の囲い内に挿入装着され、ポンプ囲い枠（１３）の底部位内面に、吸振材（９）が装着されて折り、又、吸引開口部（１４）を持った、請求項１記載の、空気抜き孔不要の水中ポンプ及び水中ポンプ騒音防止法。
【請求項４】
水中ポンプ本体（１）の傾斜ポンプ台（６）上への装着が、傾斜ポンプ台（６）に、内面に吸振材（９）装填の中空柱（１５）に、ポンプ付き足（５）が挿入装着された、請求項１記載の、空気抜き孔不要の水中ポンプ及び水中ポンプ騒音防止法。
【請求項５】
水中ポンプ本体（１）のポンプ付き足（５）自体に延長脚（１７）を装着し、傾斜設置を可能にした、請求項１記載の、空気抜き孔不要の水中ポンプ及び水中ポンプ騒音防止法。
【請求項６】
傾斜ポンプ台（６）と水平台板（８）との傾斜角度接点に蝶番（１６）を装着し、傾斜維持枠（１７）によって微妙な傾斜角度選択を可能にした、請求項１乃至４記載の、空気抜き孔不要の水中ポンプ及び水中ポンプ騒音防止法。
【請求項７】
傾斜ポンプ台（６）が、傾斜設置したままで水平回転軸（１８）で自由な向きになる、請求項１乃至４及び６記載の、空気抜き孔不要の水中ポンプ及び水中ポンプ騒音防止法。
【請求項８】
従来周知の垂直設置の水中ポンプ本体（１）の、駆動軸（１９）とインペラ（１１）との結続螺子頭部形状が、湾曲羽根付き螺子（２０）で、インペラ（１１）中央に集積するサクション気泡群（２１）を、回転によって滞留気泡蹴飛排除する、請求項１乃至７記載の、空気抜き孔不要の水中ポンプ及び水中ポンプ騒音防止法。
【請求項９】
従来周知の垂直設置の水中ポンプ本体（１）の、駆動軸（１９）とインペラ（１１）との結続螺子頭部形状が、傾斜羽根付き螺子（２４）で、インペラ（１１）中央に集積するサクション気泡群（２１）を、回転によって滞留気泡蹴飛排除する、請求項１乃至７記載の、空気抜き孔不要の水中ポンプ及び水中ポンプ騒音防止法。
【請求項１０】
従来周知の垂直設置の水中ポンプ本体（１）の、駆動軸（１９）とインペラ（１１）との結続螺子頭部形状が、垂直羽根付き螺子（２４）で、インペラ（１１）中央に集積するサクション気泡群（２１）を、回転によって滞留気泡蹴飛排除する、請求項１乃至７記載の、空気抜き孔不要の水中ポンプ及び水中ポンプ騒音防止法。
【請求項１１】
従来形状の水中ポンプ本体（１）の空気抜き孔（２）を削除してて従来形状のまま垂直設置させ、インペラ（１１）と駆動軸（１９）の接合螺子に、湾曲羽根付き螺子（２０）、傾斜羽根付き螺子（２４）、又は垂直羽根付き螺子（２５）の何れかによって固着し、ポンプ付き足（５）先端に吸振材（７）を装填した、空気抜き孔不要の水中ポンプ及び水中ポンプ騒音防止法。
【請求項１２】
従来形状の水中ポンプ本体（１）の空気抜き孔（２）を削除してて従来形状のまま水平横臥設置させ、水平横臥設置の場合は、インペラ（１１）と駆動軸（１９）の接合螺子に、湾曲羽根付き螺子（２０）、傾斜羽根付き螺子（２４）、又は垂直羽根付き螺子（２５）の何れも不要で従来の螺子のままインペラ（１１）を固着し、ポンプ胴体に吸振材（９）を経由して水平台座（８）に固定した、空気抜き孔不要の水中ポンプ及び水中ポンプ騒音防止法。
【請求項１３】
新規設計製作段階の水中ポンプ本体（１）の空気抜き孔（２）を削除して、吐出口（４）方向を傾斜上部位にした傾斜形状でポンプ付き足（５）の長短で傾斜設置維持させ、インペラ（１１）と駆動軸（１９）の接合螺子に、湾曲羽根付き螺子（２０）、傾斜羽根付き螺子（２４）、或は垂直羽根付き螺子（２５）等で固着し、ポンプ付き足（５）先端に吸振材（７）を装填した、空気抜き孔不要の水中ポンプ及び水中ポンプ騒音防止法。
【請求項１４】
新規設計製作段階の水中ポンプ本体（１）の空気抜き孔（２）を削除して、吐出口（４）方向を垂直線上の上部に向けて水平横臥位にした形状で、水中ポンプ本体（１）の胴体を水平台座（８）に吸振材（９）を経由して固定し、インペラ（１１）と駆動軸（１９）の接合螺子は、湾曲羽根付き螺子（２０）、傾斜羽根付き螺子（２４）、或は垂直羽根付き螺子（２５）によって固着しても良く、又通常の汎用螺子でも良く、水中ポンプ本体（１）の吸引開口部（１４）から吸引された液体は９０度の一回曲がり抵抗だけでポンプ外に排出される、空気抜き孔不要の水中ポンプ及び水中ポンプ騒音防止法。
【発明の詳細な説明】
【技術分野】
【０００１】  汚物・汚水用水中ポンプ、或は固液混合移送ポンプの機能性における技術分野で有る。
【背景技術】
【０００２】  ポンプの全てと言っても過言ではない程の必需機能で空気抜き孔が存在しているが、特に水中ポンプの空気抜き孔により、ポンプ機能に瑕疵が発生する。【０００３】  その理由は、液体加圧移送ポンプでの機能性消滅要因は、ポンプのインペラに空気を咬む事である事は周知の事実であり、そのために、液体移送ポンプ、特に固液混合の汚物・汚水用ポンプ等々の全てと言っても過言ではない程、空気抜き孔への異物詰まりや異物蓄積が、摩擦によってポンプのインペラ欠損事故が多発している。【０００４】  上水道水や濾過水、或は液体化学薬品のみの純粋の液体移送ポンプならいざ知らず、汚物・汚水用ポンプの様に固液混合の移送目的では、当然ながら必ず、空気抜き孔の直径が数ミリン−トルの小口径であるために、空気を抜くの為の加圧水流による通過水で固形物が詰まり、一旦空気が溜まれば、ポンプ機能が完全に消滅する。【０００５】  空気抜き孔が詰まって通気ゼロになる過程では、種々物質による、特に繊維状の異物が詰まる時、空気抜き孔付近にはに加圧水とインペラ回転による圧入的現象により、異物の強制集合状態が発生し、インペラ外周の摩擦圧力、インペラ裏側と本体との僅かな間隙への異物集積によるインペラ線状摩耗が発生、インペラ欠損、或はポンプ停止、或は停止後の起動不能となる。【０００６】  又、長い繊維状異物は、空気抜き孔への加圧水流によってインペラ裏側に導入され、インペラ回転の回転水流で駆動軸に巻きつき積層で、メカニカルシ−リングの機能不全もしばしば発生する。【０００７】  それでは空気抜き孔直径を大きくすれば良いかと言えばそうも行かず、ポンプの空気抜き孔からのリ−ク水圧は馬鹿にならず、その為に空気抜き室にガラス球を入れてポンプ水圧で昇降させ、空気抜き完了後は水圧でガラス球が空気抜き孔を塞ぐ方式もあるが、それでも空気抜きガラス球室内の異物堆積によって機能を失い、全世界で水中ポンプ、特に汚物・汚水用水中ポンプメ−カ−の永久的課題となっている事は、海外を含めた製造社の異口同音の言葉である。
【発明の開示】
【発明が解決しようとする課題】
【０００８】  液体移送ポンプで、空気を吸入しないと言う保証は全く無く、一旦詰まった空気抜き孔のままでは、ポンプのインペラに空気滞留すればポンプ機能麻痺、ましてや汚物・汚水用ポンプでは尚更のこと、そのためにポンプ空気抜き孔が必ず装着されているが、継続的、如何なる環境でも有効な空気抜き孔は皆無である。【０００９】  ポンプ吸入口から空気を吸入、インペラに咬んだ場合、陸上設置ポンプなら人為的に即座に空気抜き作業も可能だが、水中ポンプの場合は手が付けられない。【００１０】  水中ポンプ稼働時には、ポンプ吸引開口部から吸い込んだ液体は、空気抜き孔からも水中ポンプは水中に放出されており、従って大きな孔開けは出来ずに５ｍｍ前後の孔となっていることは各社において同様であり、水中に液体以外の異物が混入した場合、或は最初からその目的で製作された汚物・汚水用ポンプに至っては、必ず空気抜き孔への導水があり、種々雑多な異物混入では詰まる事は明白であり、ユ−ザ−各社が困惑しているのが現状である。【００１１】  この汚物・汚水用ポンプを有機液体肥料化する目的で、汚物・汚水を５００ｌタンクに装填し、有機物残渣原形でなく、ディスポ−ザ−で有機物を完全破砕して投入した場合、ディスポ−ザ−で１０ｍｍから１５ｍｍに破砕された有機物でも、極細１０ｍｍ前後の繊維状物質が、空気抜き孔から抜けるリ−ク水によって空気抜き孔に導入され、必ず引っかかり、一旦引っかかった繊維状物質が、友が友を呼び、多少でも空気抜き孔でリ−ク水流が有るかぎり、空気抜き孔付近のインペラ周辺に異物が溜まり、終には空気抜き機能停止は当然、インペラ起動回転阻止トルクまで増大し、ポンプ稼働停止に追い込まれた。【００１２】  ポンプメ−カ−の中には、空気抜き孔として、ガラス球を封入した空気抜き室を作り、空気を吸入した場合のポンプ圧力低下時点ではガラス球が自重で下に落ちて上部位の孔から空気が抜け、空気が抜けてポンプ圧力が出ればガラス球が押し上げれれて空気抜き孔を塞ぎ機能を出す仕組みの水中ポンプもあるが、一面では良い様に思えるが、必ず起きる空気抜き通路から異物の通過で空気抜き穴に繊維や異物が詰まった状態でガラス球の上下運動を阻害したり、異物の堆積でガラス球が落ちなくなり結果的に空気抜き孔がつぶれる現象でポンプ機能停止、単なる空気抜き孔の貫通孔と大同小異であって大差無い。【００１３】  このガラス球装填の空気抜き室構造は一見良好のようであるが、これはメ−カ−の研究室での試験結果であってあまり意味が無く、汚物・汚水用ポンプの用途では、有機物破砕投入その他の使用環境条件は多種多様であり、空気抜き室に侵入した有機物によってガラス球の作動が制御され、終にはガラス球の上下運動停止状態で、全く意味が無い結果を検証した。【００１４】  ポンプインペラへの空気咬み込みは、インペラ外周状では気泡は無く、インペラの中央部位は停止しているのと同様な状態で、底が空気の溜まりとなる。【００１５】  又、有機物の有機肥料化での処理槽に、汚物・汚水用ポンプを装着した場合、０．７５ｋｗ／ｈ迄の水中ポンプの稼働騒音は限界で使用可能であるが、１．５ｋｗ／ｈの水中ポンプの直接装填では、機械的回転騒音の処理槽への固体伝播で容認不��な騒音状態であり、吸振材経由での浮機工法によるしか無い。
【課題を解決するための手段】
【００１６】  ポンプのインペラに空気が咬めば機能消滅するから、如何なる用途のポンプでも空気抜き孔が必要という常識的見解はナンセンスで、異物による詰まりの完全防止策があれば良いが全く無い現状では、空気抜き孔削除の水中ポンプ、その削除から来るインペラの空気溜まり咬み込みを排除すれば、何等問題無い事で、本発明は前代未聞の空気抜き孔無しの水中ポンプを完成した。【００１７】  既存形状の水中ポンプは各社同一で有り、相違点はインペラの形状と、空気抜き孔の構造の相違だけで、垂直に立てて使用するから、吸入口から吐出口に至るインペラ中央に空気が溜まるものである。【００１８】  従って、吸入口から空気が仮に入っても、ポンプの吐出口に空気を導入排出させ、インペラに空気を滞留させなければ良い事である。【００１９】  その為には、ポンプ吐出口を上部位にして、ポンプ本体を２０度前後傾斜させて設置し、空気は自然上昇吐出口に排出、或は僅かにインペラ中央部位に引っかかり停留してもポンプ稼働で空気瞬間飛散排出可能な湾曲羽根付き螺子、或は傾斜羽根付き螺子で、インペラと攪拌軸を結合し、インペラ稼働と同時に気泡をインペラから追放すれば、加圧水流により吐出口に排出される。【００２０】  水中ポンプ本体設置の傾斜角度は、ポンプメ−カ−製品によって多少異なるがおおむね１７度から２０度迄の傾斜で、気泡の排除可能な傾斜が確認された。【００２１】  ９０度傾ければ水平設置になるが、その場合は時にはポンプ設計によって、メカニカルシ−ルへの潤滑性能に多少危惧するものも有るが、モ−タ−等のベアリングを含めて殆ど問題は無く、縦形ポンプの流体抵抗は下部吸入で一旦９０度変流してもう一度吐出口へ９０度変流しており、この流体抵抗を減少させる為にも水平設置横形水中ポンプの吐き出し口を真上にすれば、流体抵抗も少なく、又空気抜き孔も全く必要がない事から新規設計で横置き水中ポンプも考察実施した。【００２２】  従来の縦形空気抜き孔付きの水中ポンプの空気抜き孔（２）を削除するには、ポンプインペラ室内の空気の溜まりを吐出口に自然排出させるしかなく、それには水中ポンプ本体を約２０度、吐出口を上部位に向けて傾斜設置、又は９０度倒して水平設置しかなく、この事によってポンプ吸引口から入った空気は自然的に上昇してポンプ吐出口に導かれ排出される【００２３】  同時に、インペラ回転による水流吐出の空気抜き孔からのリ−ク水流も解消され、ポンプ揚程、ポンプ吐出量も多少ながら上昇するメリットがある。【００２４】  そのためには、傾斜設置するか、或は水平設置させるかは、用途目的によって異なるが、従来既存の水中ポンプの場合は空気抜き孔を螺子埋め込み等の穴埋め材でポンプ空気抜き孔をつぶし、傾斜ポンプ台を設置場所に応じて製作すれば良い事である。【００２５】  また、新規水中ポンプを設計製作する場合は、空気抜き孔を削除して、ポンプ型式に応じた傾斜設置のポンプ付き脚で、転倒モ−メントを考慮して製作するだけでよく、又水平設置の場合も、水中ポンプ基本構造は従来構造と全く変わらずただ、傾斜角度の問題で全てが解消される。
【発明の効果】
【００２６】  本発明では、５００ｌ及び１０００ｌ、或は５０００ｌ、その他の量の水槽に汚物・汚水用ポンプを装填し、ディスポ−ザ−経由加水破砕された有機物を加水破砕機からそのままポンプ移送投入され、有機物分解バイオによって水中分解消滅させる処理槽に使用したが、この分解過程で１０ｍｍ前後に破砕された有機物の処理槽内攪拌に用いたもので、水中ポンプの空気抜き孔の功罪に悩まされたものの、究極的には、空気抜き孔の埋め込み削除、及び傾斜ポンプ台によって傾斜設置、或は水平設置で目的を果たした。【００２７】  先ず、空気抜き孔削除で、従来の汚物ポンプ特有の空気抜き孔経の加圧水流による種々物質の空気抜き孔通過で引っかかり詰まりから来る絡み合い溜まりが全く無く、この影響から来るポンプインペラとの接触、或はインペラ回転抵抗が解消された。【００２８】  次に、ポンプ使用目的から来る処理槽内散気管での水中エア−レイション稼働中でも、従来は空気咬み込みによる吐出能力完全消滅が、エア−レイションによるエア−ブロック現象は起きずに、水流攪拌に重要な吐出圧力と吐出水量も、従来になく機能性が向上した。【００２９】  当然ながら、インペラ周囲やインペラ裏側等への水流移行がなくばり、異物の詰まる理由が無く、開放検査でも奇麗なものであった。【００３０】  同時に、有機物ディスポ−ザ−加水破砕自動移送ユニットの破砕物貯留移送タンク内に設置した場合、従来の汚物・汚水用ポンプ素のままでは、ディスポザ−加水回転破砕時に発生する気泡も、貯留移送タンクに導入されてポンプ機能停止が頻繁に発生したが、本発明装着ポンプでは全く機能劣化停止が無くなった。【００３１】  水中ポンプ空気抜き孔閉鎖、インペラ装着の湾曲羽根付き螺子又は傾斜羽根付き螺子による、ポンプ傾斜或は水平設置によるデメリットは皆無で有り、強いて言えば既存の水中ポンプの空気抜き穴を塞ぐ手間と、傾斜ポンプ台が必要である事だけで、逆に考察すれば既存ポンプ設置足の起動時点の不安定さから開放された事にもつながった。
【発明の実施するための最良の形態】
【００３２】  空気抜き孔の削除には、タッピング螺子が簡単であるが、市販のタッピング螺子は水中ポンプ本体（１）の空気抜き貫通孔部位の厚みよりも長いため、必ず貫通部位の厚みと同様長さか、或は僅かに短いものでなければならない理由は、空気抜き孔（２）からポンプ室内へ螺子先端が飛び出せば、空気抜き孔が無くてもインペラ回転によって汚物。汚水に含有する不純物の遊泳は必ずあり、これらが一つ引っかかれば、空気抜き孔（２）の詰まり現象と同様の異物積層現象が置き得るから、突起物、特に鋭利な突起物は警戒すべきである。
【００３３】  種々考察の上で実施された実施種類は多く、特に一定容積の槽内で使用する場合は特に、既存のＪＩＳ規格による配管材料、例えば４５度エルボ、９０度エルボに限定される嫌いが有り、水中ポンプ吐出方向性に制限がある場合には傾斜角度までが４５度エルボ、９０度エルボによって左右される嫌いがある。
【００３４】  ４５度傾斜で良い場合は４５度エルボ装着、２０度装着の場合は２０度傾斜の場合は、４５度エルボのＶＰパイプ、ＶＵパイプの中央部位を加熱軟化させて２０度エルボを簡単に曲げ戻しして水面に直角で吐出口からの排水管装着をしたが曲げ戻しは、曲げ増しの様に円周外側の肉痩せが出ないので安心である。
【００３５】  水中ポンプ台の構成は、ステンレス鋼材又は普通鋼材、或は他の素材を、例えば樹脂、もう一つは、水中ポンプの安定性を廉価で保つ為にコンクリ−トに水中ポンプ装着のアンカ−ボ−ルト付の傾斜面コンクリ−トも実施し安定性を維持して効果を上げた。
【００３６】  この傾斜設置、或は９０度倒して水平設置の水中ポンプ台を、各製造メ−カ−が販売保有する水中ポンプ昇降枠に設置するだけで、傾斜、或は水平装着が可能であり特に汚物・汚水用ポンプの宿命であった空気抜き孔による弊害が完全に解消された。
【００３７】  又、インペラ（１１）に滞留するサクション気泡群（２１）はインペラ中央に滞留する事から、駆動軸（１９）とインペラ（１１）の中央での結合に、湾曲羽根付き螺子（２０）、傾斜羽根付き螺子（２４）、垂直羽根付き螺子（２５）で装着する事により、しかも、湾曲羽根、傾斜羽根、垂直羽根、共に、中央部羽根高さを山高形状にして、各羽根形状高さがインペラ羽根（２２）よりも高くする事で、湾曲羽根付き螺子（２０）、或は傾斜羽根付き螺子（２４）が、インペラ（１１）の中央貯留空気中での気中回転でなく、螺子中央山高羽根によって液体攪拌をも行い、効率的気泡排除の効果を発揮した。
【実施例１】
【００３８】  各「請求項」によって説明すれば、「図１」は、生ごみ等の有機廃棄物の、バイオによる水中分解消滅処理槽内に設置された水中ポンプで、処理槽内のバイオ水の水流攪拌に用いた汚物・汚水用水中ポンプである。【００３９】  この場合、ディスポ−ザ−によって１０ｍｍ以内角に加水破砕し破砕水と共に処理槽内に自動移送投入を行ったが、植物性有機物の分解過程で、分解順序から植物性蛋白質等は早く分解され繊維素となるが、この糸状の繊維素は分解までに数日掛かる事から、処理槽内には一定量の糸くず状の繊維素が分解消滅まで滞留する。【００４０】  同時に、企業の紿食残渣処理やレストランの様な場合、必然的に残渣と共に入るつま楊枝も、樹木幹とは言え分解過程では細い麻縄状の繊維状を経由して分解消滅するが、これらがある日数は処理槽内に滞留し、この１０ｍｍ前後の糸くず状の繊維素や、他の粒状汚物が、水中ポンプの空気抜き孔を通過する水流と共に通過過程で詰まり現象を起こすが、この要因解消で水中ポンプの空気抜き孔を最初からつぶし、それでいてポンプ最大の敵であるインペラ−のエア−咬みを完全に解消させた。【００４１】  「図１」に示すように、既存の水中ポンプ本体（１）に絶対条件で設置の空気抜き孔（２）をシ−ル螺子、或はタッピング螺子等の事後離脱しない穴埋め材（３）でつぶし、ポンプの吐出口（４）を傾斜状部位に正確に向けてポンプ付き脚（５）を傾斜ポンプ台（６）に乗せ固定据付け材（７）で固着するが「図１」では、フラットバ−をＳ字型に曲げて水中ポンプ本体（１）と傾斜ポンプ台（６）とに、ボ−ルトナットで固定した。【００４２】  各社製造の水中ポンプの実地検証の結果は、最低約１８度前後傾斜させれば、インペラ−へのエア−咬みによる機能消滅は無く、最大でも２０度傾斜で完全にインペラ−エア−咬みによる機能停止は解消され、ちなみに本実施例では荏原製作所製型式５０ＤＷＶ６．７５Ａ、「０．７５ｋｗ／ｈ］の汚物・汚水用水中ポンプで２０度傾斜設置して、水中散気エア−レイションでも、ポンプ機能を継続的に発揮した。【００４３】  本来水中ポンプの用途は、地中埋設下水処理用、或は農業灌漑等の、稼働騒音には無頓着の施設で使用されるが、本実施例ではディスポ−ザ−破砕有機物の水中分解槽で、地上施設の為、上記ポンプ容量「０．７５ｋｗ／ｈ］までは騒音が致命傷にならないが、その上の能力の「１．５ｋｗ／ｈ」では、絶対条件で吸振材（９）を経由して処理槽等容器に固定する必要があった。【００４４】  この事から「図１」は傾斜設置水中ポンプ台の基本形状を示したもので、各ポンプ製造社によって、同じモ−タ−ｋｗ／ｈの水中ポンプでも高さが変わっており、モ−タ−質量によるトップヘビ−的質量配分で安定性に掛けるのが水中ポンプで、２０度傾斜で重心位置がポンプ足から離脱して転倒モ−メントが働く場合には、必要あれば転倒防止枠（１０）によって支える事も行った。【００４５】  又、吐出口（４）を真上に向けて傾斜角度を９０度にすれば横倒しの水平設置に成るが、ポンプ製造社によってはシ−リング潤滑油の液面変化から、２０度前後は良いが水平横臥設置をの潤滑油液面状態を嫌う社もあった。【００４６】  何れも傾斜設置であるかぎり、傾斜水中ポンプ台にしっかりと固定する事が条件であるが、空気抜き孔を削除した本実施例では、有機物水中分解処理槽内への酸素供給目的と、曝気攪拌をかねて、傾斜ポンプ台（６）下部に散気管を装着して、水中ポンプ稼働と平行して散気も行ったが、従来規定の垂直設置状態ではエア−咬みによる吐出ゼロをポンプ製造社共々確認し、本発明の２０度傾斜設置では、何等異常無く、散気エア−共々吐出口から噴出した。【００４７】  同時に、有機物破砕投入の処理槽内に設置して１か月間稼働し、水中ポンプ本体（１）のインペラ（１１）を駆動軸（１９）から分離して、繊維状、或は他の異物蓄積を確認したが、何等障害に成る状況は皆無であり、従来の空気抜き孔（２）による異物詰まりによるエア−ブロック機能停止状況の片鱗も認められなかった。
【実施例２】
【００４８】  「請求項２」は、「図１」に示す様に、水中ポンプ本体（１）を傾斜ポンプ台（６）に固着する固定据付け材（７）は、フラットバ−曲げ板（１２）のＳＵＳ−３０４素材の厚み４ｍｍ，巾３０ｍｍのフラットバ−をＳ字型に曲げて、水中ポンプ本体（１）付きのボ−ルトを利用して締付、他の一方は傾斜ポンプ台（６）のタップ孔にボ−ルトによって固着したが、ポンプ起動時点の反動でも十分な強度を確認した。
【実施例３】
【００４９】  「請求項３」は、「図２」の様に、傾斜ポンプ台（６）上に、水中ポンプ本体（１）下部形状の中空のポンプ囲い枠（１３）を固着し、必要あればポンプ囲い枠（１３）内側にゴム等の吸振材（９）を張り、水中ポンプ下部全体を挿入装着する事も行ったが、傾斜設置が２０度を越えれば転倒も−メントが大きくなるので、転倒防止枠（１０）を装着して、水中ポンプ本体（１）をそのまま挿入設置したもので、稼働時には吐出水流で設置重量が増加するが、吐出管の方向性で横方向の転倒モ−メントも想定してポンプ囲い枠（１３）の高さを変化させた。【００５０】  又、ポンプ囲い枠（１３）の傾斜ポンプ台（６）内面底部は、ポンプ吸引吸い込みの為に吸引開口部（１４）を設け、ポンプ効率低下を防止した。
【実施例４】
【００５１】  「請求項４」は、「図３」の様に、傾斜ポンプ台（６）上に、水中ポンプ本体（１）のポンプ付き脚（５）が入る中空柱（１５）を傾斜ポンプ台（６）が固着されており、必要あればポンプ付き脚（５）内面と底部にゴム等の吸振材（９）を張り、水中ポンプ本体（１）のポンプ付き脚（５）を中空柱（１５）に差し込むだけで、傾斜設置が可能なものとし、仮に転倒モ−メントが掛かっても、傾斜ポンプ台（６）上部の脚が抜けないだけの長さの中空柱（１５）としており、水中ポンプ稼働時点では土出荷重が掛かっても浮力は掛からない事から、抜けて転倒落下の危険性は全く無い。
【実施例５】
【００５２】  「請求項５」は、「図４」「図５」の様に、ポンプ付き脚（５）自体に、傾斜に見合った延長脚（１７）を、ポンプ付き脚（５）をはさみこむ様にしてかんぬき式、又はピン挿入、或はボ−ツタ・ナットで固着して、水平台に固定、又は水平に設置するものである。
【実施例６】
【００５３】  「請求項６」は、「図６」の様に、水中ポンプ製造各社では、基本構造は全く同様でも、インペラの形状や吐出口迄の突起形状等々で、多少の変化がある為、空気抜き孔（２）を穴埋め材（３）でつぶした後の傾斜角度の選定で、傾斜ポンプ台（６）の傾斜角度が自由に選択出来るように、傾斜ポンプ台（６）と水平台座（８）との結合に蝶番（１６）を装着し、傾斜維持枠（１７）で、微妙な傾斜を創成可能にしたものである。
【実施例７】
【００５４】  「請求項７」は、「図７」の様に、傾斜ポンプ台（６）と結合された水平台座（８）の中央に回転可能な状態で挿入された軸によって、設置場所環境によって水平回転３６０度の自由位置設定が可能な様にしたものである。
【実施例８】
【００５５】  「請求項８」を「図８」「図９」で説明する。
ポンプ機能特有の障害物は異物もさる事ながら、ポンプ機能性を消滅させるエア−ブロック、つまりインペラ（１１）への空気咬み込みによるポンプ吐出能力の減衰又は消滅である。【００５６】  この空気咬み込みは、全てインペラ（１１）の回転によってインペラ（１１）中央にサクション気泡群（２１）として滞留する。【００５７】  インペラ（１１）中央は、インペラ（１１）と駆動軸（１９）とを結合する螺子部であり、当然ながらインペラ羽根（２２）は中央部では欠落せざるを得ず、水中ポンプ製造社の全ての商品で、吸引された気泡は溜まりやすくなっており、その為に空気抜き孔（２）の設置が必須条件となっているが為に、特に汚物・汚水用ポンプの宿命で問題躍起が頻発している。【００５８】  本発明の、本実施例では、インペラ（１１）と駆動軸（１９）とを結合するインペラ（１１）中央部の螺子部位に、水中ポンプ本体（１）が停止状態で、或は稼働状態でも、サクション気泡群（２１）がインペラ（１１）中央に滞留しても、インペラ（１１）の回転と同時に、サクション気泡群（２１）を、湾曲羽根付き螺子（２０）の中央山高部による発生水流で、瞬時に滞留サクション気泡群（２１）を蹴散らし、吐出口（４）から水中ポンプ本体（１）外に排出するものである。【００５９】  湾曲羽根付き螺子（２０）の羽根数は、左右対象の２枚、正三角の３枚、９０度対象の４枚で実施したが、全て良好であった。【００６０】  又、湾曲羽根付き螺子（２０）の羽根の先端がインペラ羽根（２２）の中央部位に隣接連結状態にする必要もなく、又、駆動軸（１９）とインペラ（１１）の湾曲羽根付き螺子（２０）による結合も湾曲羽根付き螺子（２０）頭部中央に六角締付螺子穴（２３）を設けたが、これは湾曲羽根付き螺子（２０）付きの羽根を手でもって締めつけても良いが、材質的強度による為に六角締付螺子穴（２３）を付けているもので、インペラ（１１）の回転によって生じる水流と湾曲羽根付き螺子（２０）の羽根が受けるトルクは螺子締付方向へのトルクであり、インペラ（１１）脱落の危険性は全く無い。【００６１】  この湾曲羽根付き螺子（２０）を装着した水中ポンプ、特に汚物汚水用の諸般の根源である水中ポンプ本体（１）の空気抜き孔（２）をつぶし、従来各社製品の規定設置形状の「垂直設置」と本発明の「２０度傾斜設置」の両者設置稼働試験では、ある程度のサクション気泡群（２１）では垂直設置でも吐出効果を表したが、ポンプ吸引開口部（１４）付近での散気管からのエア−レイション併合でのポンプ稼働では機能劣化が大きかったが、ある程度のサクション気泡群（２１）では瞬間的な機能劣化があっても、湾曲羽根付き螺子（２０）を装着する事によって湾曲羽根の中央山高羽根部での水流撒き込みで、従来機種と比較すれば顕著な効果と認められた。【００６２】  そこで、同様な条件での、本発明の「２０度傾斜設置」の設置稼働試験では、殆ど瞬時に正規稼働で常に問題なく、空気抜き孔（２）の削除で食う来抜き孔（２）からの水圧リ−クの消滅と、水中ポンプ本体（１）傾斜による水流の流動性の変化により、仕様書数値以上の機能を発揮した。
【実施例９】
【００６３】「請求項９」は、「図１０」に示す様に、インペラ（１１）中央に滞留するサクション気泡群（２１）を、インペラ（１１）の回転によって傾斜羽根付き螺子（２４）により、蹴散らしてエア−ブロック現象による機能停止を消滅させたものであり、回転方向に数度傾斜させた、傾斜羽根付き螺子（２４）としたもので、インペラ中央にがある場合、傾斜羽根の中央山高部位からの液体巻込みで気泡を拡散して排除する効果あった。
【実施例１０】
【００６４】「請求項１０」は、「図１１」に示す様に、インペラ（１１）中央に滞留するサクション気泡群（２１）を、インペラ（１１）の回転によって垂直羽根付き螺子（２５）により、蹴散らしてエア−ブロック現象による機能停止を消滅させたものであり、高さが低ければサクション気泡群（２１）の気泡中での気中回転で意味が無く、山高形状の垂直羽根付き螺子（２４）としたものである。
【実施例１１】
【００６５】  「請求項１１」は「図１２」に示す様に、従来の水中ポンプ本体（１）の空気抜き孔（２）をつぶして削除し、同時に水中ポンプ本体（１）の設置も従来通り垂直設置で、インペラ（１１）の駆動軸（１９）との装着は、湾曲羽根付き螺子（２０）、傾斜羽根付き螺子（２４）、或は垂直羽根付き螺子（２５）の何れかによって固着して、エア−ブロック要因のインペラ（１１）中央に滞留するサクション気泡群（２１）を排除して従来の水中ポンプの欠点を補ったもので、その効果も顕著であった。
【実施例１２】
【００６６】  「請求項１２」は「図１３」に示す様に、従来の水中ポンプ本体（１）の空気抜き孔（２）をつぶして削除し、同時に水中ポンプ本体（１）を水平横臥状態で水平台（８）上に吸振材（９）を介して固定し、インペラ（１１）の駆動軸（１９）との装着は、湾曲羽根付き螺子（２０）、傾斜羽根付き螺子（２４）、或は垂直羽根付き螺子（２５）の何れも不要で汎用螺子で良く、エア−ブロック要因のインペラ（１１）中央に滞留するサクション気泡群（２１）はインペラ（１１）が垂直状態の為に、空気咬み込みによる水中ポンプの欠点を補ったもので、その効果も顕著であった。
【実施例１３】
【００６７】  「請求項１３」は「図１４」に示す様に、水中ポンプ本体（１）の新規設計段階に、空気抜き孔（２）を削除し、同時に吐出口（４）を上部位にして傾斜設置の形状にしたもので、インペラ（１１）の駆動軸（１９）との装着も、湾曲羽根付き螺子（２０）傾斜羽根付き螺子（２４）、或は垂直羽根付き螺子（２５）によって固着し、インペラ（１１）中央に滞留するサクション気泡群（２１）を排除して従来の水中ポンプの欠点を補ったもので、その効果も顕著であった。
【実施例１４】
【００６８】  「請求項１４」は「図１５」に示す様に、水中ポンプ本体（１）の新規設計段階に、空気抜き孔（２）を削除し、同時に吐出口（４）を上部位にして水平横臥設置の形状にしたもので、インペラ（１１）の駆動軸（１９）との装着も、湾曲羽根付き螺子（２０）傾斜羽根付き螺子（２４）、或は垂直羽根付き螺子（２５）等の必要は全く無く、インペラ（１１）が垂直状態である為、サクション気群（２１）が滞留する事も無く、従来の水中ポンプの欠点を補ったもので、その効果も顕著であった。【００６９】  同時に、新規設計であるかぎり、ポンプ機能性の向上の為、水中ポンプ本体（１）の吸引開口部（１４）から吸引導入された液体は、９０度曲がれば、そのまま吐出口（４）に出せる為、流体抵抗の削減にもつながった。
【図面の簡単な説明】
【００７０】
【図１】    本発明の一実施形態である傾斜ポンプ台に据付の総合的外観図。
【図２】    傾斜ポンプ台にポンプ囲い枠を装着、ポンプ挿入の側面外観図。
【図３】    傾斜ポンプ台に中空柱を装着、ポンプ付き脚挿入の側面外観図。
【図４】    ポンプ付き脚に、固定据付け材を固着して傾斜の、側面外観図。
【図５】    「図４」のポンプ付き脚と固定据付け材との、固着例断面図。
【図６】    蝶番による傾斜ポンプ台傾斜角度変更可能なポンプ側面外観図。
【図７】    傾斜ポンプ台が傾斜保持水平回転可能なポンプの側面外観図。
【図８】    インペラと駆動軸の結続で湾曲羽根付き螺子装着の平面外観図。
【図９】    インペラと駆動軸の結続で湾曲羽根付き螺子装着の断面外観図。
【図１０】    インペラと駆動軸の結続で傾斜羽根付き螺子装着の平面外観図。
【図１１】    インペラと駆動軸の結続で垂直羽根付き螺子装着の平面外観図。
【図１２】    垂直立脚空気抜き孔削除、湾曲羽根付き螺子止めの側面外観図。
【図１３】    水平横臥で空気抜き孔削除インペラ汎用螺子止めの側面外観図。
【図１４】    新製作空気抜き孔削除、傾斜型、垂直羽根螺子付の側面外観図。
【図１５】    新製作空気抜き孔削除、横臥型、汎用螺子止めの側面外観図。
【図１６】    本発明の、ディスポ−ザ破砕貯留槽内排出用使用の斜視外観図。
【図１７】    破砕貯留槽内汚物汚水移送有機液肥処理槽内設置の斜視外観図。
【符号の説明】
【００７１】１    水中ポンプ本体
２    空気抜き孔
３    穴埋め材料
４    吐出口
５    ポンプ付き脚
６    傾斜ポンプ台
７    固定据付け材
８    水平台座
９    吸振材
１０  転倒防止枠
１１  インペラ
１２  フラットバ−曲げ板
１３  ポンプ囲い枠
１４  吸引開口部
１５  中空柱
１６  蝶番
１７  傾斜維持枠
１８  水平回転軸
１９  駆動軸
２０  湾曲羽根付き螺子
２１  サクション気泡群
２２  インペラ羽根
２３  六角レンチ穴
２４  傾斜羽根付き螺子
２５  垂直羽根付き螺子
【図１】
2007040287.tif 000003
【図２】
2007040287.tif 000004
【図３】
2007040287.tif 000005
【図４】
2007040287.tif 000006
【図５】
2007040287.tif 000007
【図６】
2007040287.tif 000008
【図７】
2007040287.tif 000009
【図８】
2007040287.tif 000010
【図９】
2007040287.tif 000011
【図１０】
2007040287.tif 000012
【図１１】
2007040287.tif 000013
【図１２】
2007040287.tif 000014
【図１３】
2007040287.tif 000015
【図１４】
2007040287.tif 000016
【図１５】
2007040287.tif 000017
【図１６】
2007040287.tif 000018
【図１７】
2007040287.tif 000019